(57)【要約】【課題】通常のバインダーやファイルにも仕込むことが可能で、しかも、バインダーやファイルから外した書類がずれることがないので、綴じ込み操作が極めて容易な書類の綴じ方法及び綴じ具を提供する。【解決手段】所定間隔で対となって配置されて、書類２０を綴じるパンチ孔挿通材１６、１７の先側に紐通し部１８、１９を設け、パンチ孔挿通材１６、１７を書類２０の各パンチ孔２２、２３に挿通した状態で、それぞれのパンチ孔挿通材１６、１７の先側の紐通し部１８、１９に、繋がった綴じ紐２５を通し、書類２０を各パンチ孔挿通材１６、１７から外して、綴じ紐２５をパンチ孔２２、２３に挿通させる。【選択図】図１
2010208214.tif 000002
【特許請求の範囲】
【請求項１】
所定間隔で配置されて、対となって書類を綴じるパンチ孔挿通材の先側に紐通し部を設け、前記パンチ孔挿通材を前記書類の各パンチ孔に挿通した状態で、それぞれの前記パンチ孔挿通材の先側の紐通し部に綴じ紐を通し、前記書類を前記各パンチ孔挿通材から外して、前記綴じ紐を前記パンチ孔に挿通させることを特徴とする書類の綴じ方法。
【請求項２】
請求項１記載の書類の綴じ方法において、前記紐通し部は紐通し孔からなることを特徴とする書類の綴じ方法。
【請求項３】
請求項１記載の書類の綴じ方法において、前記紐通し部は綴じ紐掛止用切欠きからなることを特徴とする書類の綴じ方法。
【請求項４】
請求項１〜３のいずれか１記載の書類の綴じ方法において、前記パンチ孔挿通材は、ファイル又はバインダーに取付けられていることを特徴とする書類の綴じ方法。
【請求項５】
書類の片側に形成されたパンチ孔に挿通させる対となるパンチ孔挿通材を有する書類の綴じ具において、前記対となるパンチ孔挿通材の先側に紐通し部を設けたことを特徴とする書類の綴じ具。
【請求項６】
請求項５記載の書類の綴じ具において、前記紐通し部は紐通し孔からなることを特徴とする書類の綴じ具。
【請求項７】
請求項５記載の書類の綴じ具において、前記紐通し部は綴じ紐掛止用切欠きからなることを特徴とする書類の綴じ具。
【請求項８】
請求項５〜７のいずれか１記載の書類の綴じ具において、前記対となるパンチ孔挿通材は、平板状プラスチック素材からなって、前記対となるパンチ孔挿通材は基側の方で連結していることを特徴とする書類の綴じ具。
【請求項９】
請求項５〜７のいずれか１記載の書類の綴じ具において、前記対となるパンチ孔挿通材は、先端が傾斜切断されたパイプ材からなっていることを特徴とする書類の綴じ具。
【発明の詳細な説明】
【技術分野】
【０００１】
本発明は各種書類（例えば、ノート、伝票、メモ用紙、新聞、雑誌）を綴じ紐を用いて容易に綴じる方法及び綴じ具に関する。
【背景技術】
【０００２】
従来、個々の書類が多数枚ある場合には、片側の所定位置にパンチによって孔を設けて、バインダー等に綴じることが行われていた。しかしながら、バインダー等には大量の書類を綴じることはできないので、複数のバインダーに分けて綴じることも行われていた。また、長期間保管する場合には、バインダーから外して紐で綴じて収納されることも行われていた。
【０００３】
大量の書類を紐で綴じて保管する場合、例えば、綴じ棒の先部に紐通り孔を設けた用紙綴じ込み具を用いて綴じ紐をパンチ孔に通すことが行われていた（技術Ａ）。また、特許文献１に記載のような、台板の上に所定間隔（対となるパンチ孔間隔）で、綴じ紐通し用の割れ目を設けた綴じ軸を設けて、綴じ軸に通し紐を収納した状態で、パンチ孔に綴じ軸を綴じ紐と共に挿通し、綴じ紐を綴じ軸から取り出して書類を綴じることが提案されていた（技術Ｂ）。
【先行技術文献】
【特許文献】
【０００４】
【特許文献１】特開２００３−３９８６９号公報
【発明の概要】
【発明が解決しようとする課題】
【０００５】
しかしながら、技術Ａの用紙綴じ込み具は、書類の個々のパンチ孔に綴じ棒を挿通する必要があり、更には、一旦書類をファイルやバインダーから取り外して作業を行う必要があり、極めて手間であった。
また、特許文献１記載のファイル用綴じ具（技術Ｂ）においては、綴じ軸を同時に挿通できる利点はあるが、ファイル自体にそのような機構を設けることはできないので、綴じようとする書類を一旦ファイルやバインダーから外し、その後、綴じ紐を綴じ軸の所定の場所に配置し、パンチ孔に挿通していた。従って、各書類がずれる等して、極めて手間であることには代わりが無かった。
【０００６】
本発明は、かかる事情に鑑みてなされたもので、通常のバインダーやファイルにも仕込むことが可能で、しかも、バインダーやファイルから外した書類がずれることがないので、綴じ込み操作が極めて容易な書類の綴じ方法及び綴じ具を提供することを目的とする。
【課題を解決するための手段】
【０００７】
前記目的に沿う第１の発明に係る書類の綴じ方法は、所定間隔で配置されて、対となって書類を綴じるパンチ孔挿通材の先側に紐通し部を設け、前記パンチ孔挿通材を前記書類の各パンチ孔に挿通した状態で、それぞれの前記パンチ孔挿通材の先側の紐通し部に、繋がった綴じ紐を通し、前記書類を前記各パンチ孔挿通材から外して、前記綴じ紐を前記パンチ孔に挿通させる。
【０００８】
また、第２の発明に係る書類の綴じ方法は、第１の発明に係る書類の綴じ方法において、前記紐通し部は紐通し孔からなる。
【０００９】
第３の発明に係る書類の綴じ方法は、第１の発明に係る書類の綴じ方法において、前記紐通し部は綴じ紐掛止用切欠きからなる。
【００１０】
第４の発明に係る書類の綴じ方法は、第１〜第３の発明に係る書類の綴じ方法において、前記パンチ孔挿通材は、ファイル又はバインダーに取付けられている。
【００１１】
第５の発明に係る書類の綴じ具は、書類の片側に形成されたパンチ孔に挿通させる対となるパンチ孔挿通材を有する書類の綴じ具において、前記対となるパンチ孔挿通材の先側に紐通し部を設けた。
【００１２】
第６の発明に係る書類の綴じ具は、第５の発明に係る書類の綴じ具において、前記紐通し部は紐通し孔からなる。
【００１３】
第７の発明に係る書類の綴じ具は、第５の発明に係る書類の綴じ具において、前記紐通し部は綴じ紐掛止用切欠きからなる。
【００１４】
第８の発明に係る書類の綴じ具は、第５〜第７の発明に係る書類の綴じ具において、前記対となるパンチ孔挿通材は、平板状プラスチック素材からなって、前記対となるパンチ孔挿通材は基側の方で連結している。
【００１５】
そして、第９の発明に係る書類の綴じ具は、第５〜第７の発明に係る書類の綴じ具において、前記対となるパンチ孔挿通材は、先端が傾斜切断されたパイプ材からなっている。
【発明の効果】
【００１６】
本発明に係る書類の綴じ方法においては、対となって書類を綴じるパンチ孔挿通材の先側に紐通し部を設け、パンチ孔挿通材を書類の各パンチ孔に挿通した状態で、それぞれのパンチ孔挿通材の先側の紐通し部に繋がった綴じ紐を通し、書類を各パンチ孔挿通材から外して、綴じ紐を対となるパンチ孔に挿通させるので、個々の書類がずれることがなく、容易に紐綴じを行うことができる。
【００１７】
また、本発明に係る書類の綴じ具は、書類の片側に形成されたパンチ孔に挿通させる対となるパンチ孔挿通材の先側に紐通し部を設けているので、パンチ孔挿通材の紐通し部に綴じ紐を通して、書類をパンチ孔挿通材から外すと、綴じ紐が自動的にパンチ孔を通る。従って、パンチ孔を挿通していたパンチ孔挿通材の代わりに綴じ紐が通るので、各書類がずれることがなく、書類のパンチ孔の紐通し作業が極めて容易となる。
【図面の簡単な説明】
【００１８】
【図１】本発明の第１の実施の形態に係る書類の綴じ具の斜視図である。
【図２】（Ａ）、（Ｂ）はそれぞれ本発明の一実施の形態に係る書類の綴じ具を用いた綴じ方法の説明図である。
【図３】本発明の第２の実施の形態に係る書類の綴じ具の斜視図である。
【図４】本発明の第３の実施の形態に係る書類の綴じ具の斜視図である。
【発明を実施するための形態】
【００１９】
図１に示すように、本発明の第１の実施の形態に係る書類の綴じ具１０は、厚紙又はプラスチックシートからなって、これらのシートを折り曲げて形成された表カバー１１、中カバー（背カバー、背表紙）１２、中カバー１２の内側にあって中カバーに連続する折り曲げ部１３及び裏カバー１４を有するカバー材１５と、幅狭の中カバー１２に連続する折り曲げ片１３の中央部に所定間隔で設けられた対となるパンチ孔挿通材１６、１７を有し、パンチ孔挿通材１６、１７の先側には、紐通し部の一例である紐通し孔１８、１９を有している。以下、これらについて詳細に説明する。
【００２０】
カバー材１５は周知のもので、カバー材１５の内側中央にあるパンチ孔挿通材１６、１７は基側が連続したプラスチック製の例えば約４ｍｍ幅の細板材（即ち、平板状プラスチック素材）からなって、折り曲げ部１３に所定間隔（例えば、８０ｍｍの間隔）でパンチ孔挿通材１６、１７が突出するようにして設けられている。パンチ孔挿通材１６、１７の突出長は例えば５〜７ｃｍ程度となっている。このパンチ孔挿通材１６、１７の先側には直径が例えば１．５〜２ｍｍ程度の紐通し孔１８、１９が設けられている。
【００２１】
このパンチ孔挿通材１６、１７には所定厚（例えば、１０ｍｍ）の書類２０が、周知の綴じ金具（金属製又はプラスチック製）２１を介して綴じられていた。即ち、書類２０の片側に予め形成されたパンチ孔２２、２３にパンチ孔挿通材１６、１７が挿通され、挿通されたパンチ孔挿通材１６、１７は周知の綴じ金具２１によって書類２０がパンチ孔挿通材１６、１７から抜けないように、中間部を折り曲げて固定されている（通常のファイルと同様）。
【００２２】
そして、書類の綴じ具１０を使用する場合には、まずパンチ孔挿通材１６、１７を止めてている綴じ金具２１を取り外し、パンチ孔挿通材１６、１７が書類２０のパンチ孔２２、２３を挿通した状態で先側をフリーの状態にする。そして、図１、図２（Ａ）に示すように、綴じ紐２５を紐通し孔１８、１９に挿通する。
【００２３】
この状態で、図２（Ｂ）に示すように、書類２０を各パンチ孔挿通材１６、１７から外して、綴じ紐２５を対となるパンチ孔２２、２３に挿通させる。従って、パンチ孔挿通材１６、１７から外した書類２０は、パンチ孔２２、２３を合わせる手間を要することなく、綴じ紐２５を自動的に挿通することができる。この後、パンチ孔２２、２３を挿通した綴じ紐２５を結束すれば、書類２０が綴じられる。
【００２４】
図３に本発明の第２の実施の形態に係る書類の綴じ具２７を示すが、パンチ孔挿通材２８、２９は先部が傾斜切断された金属製のパイプ材からなっている。このパンチ孔挿通材２８、２９の先側には、紐通し部の一例である紐通し孔３０、３１が設けられている。書類３２をこの書類の綴じ具（バインダー）２７をそのままを用いて綴じる場合には、所定の位置にパンチ孔３４、３５が設けられた書類３２を用意し、パンチ孔３４、３５にパンチ孔挿通材２８、２９を通して綴じ金具３６によって綴じる。
【００２５】
この書類の綴じ具２７を用いて書類３２の紐綴じを行う場合には、綴じ金具３６を外して、パンチ孔挿通材２８、２９の先側を露出させ、紐通し孔３０、３１に綴じ紐２５を図３のように挿通する。そして、書類３２を引き上げると、パンチ孔挿通材２８、２９がパンチ孔３４、３５から抜けたときには、綴じ紐２５がパンチ孔３４、３５に挿通する。ここで、綴じ紐２５の両側を結束すれば、紐綴じ作業が完了する。
【００２６】
図４に本発明の第３の実施の形態に係る書類の綴じ具３８を示すが、基台３９の中央に設けられた開口部４０に、先側に紐通し孔（紐通し部の一例）４４、４５が設けられたパンチ孔挿通材４１、４２を備えた挿通具４３が設けられている。この挿通具４３はその両端が開口部４０の両側に回動可能に設けられ、必要に応じて、パンチ孔挿通材４１、４２を立設又はその位置から９０度回して開口部４０に収納できるようになっている。
【００２７】
この書類の綴じ具３８は、パンチ孔３４、３５が設けられた書類３２に綴じ紐２５を通すための専用具で、パンチ孔挿通材４１、４２を立てた状態で、パンチ孔３４、３５にパンチ孔挿通材４１、４２を通し、パンチ孔３４、３５から突出したパンチ孔挿通材４１、４２の紐通し孔４４、４５に、図に示すように、綴じ紐２５を挿通する。
【００２８】
この後、書類３２を引き上げて、綴じ紐２５をパンチ孔３４、３５に挿通し、挿通した綴じ紐２５を結んで書類３２の紐綴じが完了する。この書類の綴じ具３８を使用しない場合は、挿通具４３を倒して基台３９の開口部４０内に収める。
【００２９】
前記実施の形態においては、具体的な寸法を用いて説明したが、本発明は本発明の要旨を変更しない範囲で寸法を変えることは可能であり、更に各構成部品の形状を変える場合も本発明は適用される。
また、本発明においては、２つのパンチ孔挿通材を有する書類の綴じ具について説明したが、３以上のパンチ孔挿通材を有する書類の綴じ具であってもよい。
また、前記実施の形態においては、紐通し部の一例として紐通し孔を使用しているが、紐通し孔の一側を切り欠いて鉤状の綴じ紐掛止用切欠きとすることもできる。この場合、綴じ紐を紐通し部に挿通するのが極めて容易になる。
【符号の説明】
【００３０】
１０：書類の綴じ具、１１：表カバー、１２：中カバー、１３：折り曲げ部、１４：裏カバー、１５：カバー材、１６、１７：パンチ孔挿通材、１８、１９：紐通し孔、２０：書類、２１：綴じ金具、２２、２３：パンチ孔、２５：綴じ紐、２７：書類の綴じ具、２８、２９：パンチ孔挿通材、３０、３１：紐通し孔、３２：書類、３４、３５：パンチ孔、３６：綴じ金具、３８：書類の綴じ具、３９：基台、４０：開口部、４１、４２：パンチ孔挿通材、４３：挿通具、４４、４５：紐通し孔
【図１】
2010208214.tif 000003
【図２】
2010208214.tif 000004
【図３】
2010208214.tif 000005
【図４】
2010208214.tif 000006